(57)【要約】【課題】軽量かつ意匠性が高いルーバー構造を得る。【解決手段】固定突起を有するルーバーと、ルーバーを支持する支持体とを備え、支持体は、主支持部と、主支持部に対して移動可能な可動部とを備え、主支持部は、主支持部の側面から突出する主支持部側保持部材と、主支持部の側面に開口する孔部とを備え、可動部は、可動部の側面から突出する可動部側保持部材を備え、可動部側保持部材は、孔部を貫通して主支持部の側面から突出し、主支持部側保持部材と可動部側保持部材とが固定突起と係合して、ルーバーを保持するルーバー構造。【選択図】図３
2020041293.tif 000002
【特許請求の範囲】
【請求項１】
固定突起を有するルーバーと、
前記ルーバーを支持する支持体とを備え、
前記支持体は、主支持部と、前記主支持部に対して移動可能な可動部とを備え、
前記主支持部は、前記主支持部の側面から突出する主支持部側保持部材と、前記主支持部の前記側面に開口する孔部とを備え、
前記可動部は、前記可動部の側面から突出する可動部側保持部材を備え、
前記可動部側保持部材は、前記孔部を貫通して前記主支持部の前記側面から突出し、
前記主支持部側保持部材と前記可動部側保持部材とが前記固定突起と係合して、前記ルーバーを保持するルーバー構造。
【請求項２】
前記ルーバーは第１の方向に沿って延び、
前記可動部は、前記第１の方向と交わる第２の方向に移動可能であって、
前記主支持部側保持部材の突出端は、前記主支持部の側面との間に前記第２の方向に沿って開く第１の開口を形成し、
前記可動部側保持部材の突出端は、前記主支持部の側面との間に前記第２の方向に沿って開く第２の開口を形成し、前記可動部が前記第２の方向に移動したとき、前記第２の方向に移動する
請求項１に記載のルーバー構造。
【請求項３】
前記ルーバーは第１の方向に沿って延び、
前記可動部は、前記第１の方向と交わる第２の方向に移動可能であって、
前記ルーバーは板状部材であって、前記主支持部の側面に対向する面から突出し、かつ前記第２の方向に沿って延びる第１の固定突起及び第２の固定突起を備え、前記第１の固定突起の突出端は、前記第２の方向の正方向に延び、前記第２の固定突起の突出端は、前記第２の方向の負方向に延び、
前記可動部側保持部材の突出端は、前記主支持部の側面との間に前記第２の方向の正方向に開く第２の開口を形成し、
前記主支持部側保持部材の突出端は、前記主支持部の側面との間に前記第２の方向の負方向に開く第１の開口を形成し、
前記第１の開口は前記第１の固定突起と係合し、
前記可動部が前記第２の方向の正方向に移動したとき、前記第２の開口は前記第２の固定突起と係合する
請求項１又は２に記載のルーバー構造。
【請求項４】
前記ルーバーは第１の方向に沿って延び、
前記可動部は、前記第１の方向と交わる第２の方向に移動可能であって、
前記ルーバーは板状部材であって、前記主支持部の側面に対向する面から突出し、かつ前記第２の方向に沿って延びる第１の固定突起及び第２の固定突起を備え、前記第１の固定突起の突出端は、前記第２の方向の負方向に延び、前記第２の固定突起の突出端は、前記第２の方向の正方向に延び、
前記可動部側保持部材の突出端は、前記主支持部の側面との間に前記第２の方向の負方向に開く第２の開口を形成し、
前記主支持部側保持部材の突出端は、前記主支持部の側面との間に前記第２の方向の正方向に開く第１の開口を形成し、
前記第１の開口は前記第１の固定突起と係合し、
前記可動部が前記第２の方向の負方向に移動したとき、前記第２の開口は前記第２の固定突起と係合する
請求項１又は２に記載のルーバー構造。
【請求項５】
前記ルーバーは第１の方向に沿って延び、
前記可動部は、前記主支持部に挿入されており、前記第１の方向と交わる第２の方向に移動可能であって、
前記主支持部は、前記第２の方向に沿って延びる長孔を側面に備え、
前記長孔を貫通して、前記主支持部の前記側面の面外方向に対して前記可動部が移動することを規制する規制部材をさらに備える
請求項１から４のいずれかに記載のルーバー構造。
【請求項６】
前記可動部は、前記第１の方向と交わる第２の方向に移動可能に前記主支持部に挿入され、移動可能方向の一端に螺合孔を有し、
前記螺合孔と螺合して、移動方向に対して前記可動部を前記主支持部に固定する固定部材をさらに備える
請求項１から５のいずれかに記載のルーバー構造。
【発明の詳細な説明】
【技術分野】
【０００１】
本発明は、ルーバーを保持する構造に関する。
【背景技術】
【０００２】
従来、樹脂製格子材の中空部に金属製芯材を挿入してルーバーを構成し、金属製芯材と支柱とをビス止めすることにより、樹脂製格子材を長手方向に移動可能となるように支柱に固定するルーバー構造が知られている（特許文献１）。
【先行技術文献】
【特許文献】
【０００３】
【特許文献１】特開２０１２−１７２４８１号公報
【発明の概要】
【発明が解決しようとする課題】
【０００４】
しかし、樹脂製格子材は透明あるいは半透明であるため、樹脂製格子材に金属製芯材を挿入すると、金属製芯材が透けて視認されてルーバーの意匠性が低下する可能性がある。また、金属製芯材によりルーバーの重量が増加するという可能性もある。
【０００５】
本発明はこれらの課題に鑑みてなされたものであり、軽量かつ意匠性が高いルーバー構造を得ることを目的とする。
【課題を解決するための手段】
【０００６】
本願発明によるルーバー構造は、固定突起を有するルーバーと、ルーバーを支持する支持体とを備え、支持体は、主支持部と、主支持部に対して移動可能な可動部とを備え、主支持部は、主支持部の側面から突出する主支持部側保持部材と、主支持部の側面に開口する孔部とを備え、可動部は、可動部の側面から突出する可動部側保持部材を備え、可動部側保持部材は、孔部を貫通して主支持部の側面から突出し、主支持部側保持部材と可動部側保持部材とが固定突起と係合して、ルーバーを保持することを特徴とする。
【発明の効果】
【０００７】
本発明によれば、軽量かつ意匠性が高いルーバー構造が提供される。
【図面の簡単な説明】
【０００８】
【図１】第１の実施形態によるルーバー支持構造の正面図である。
【図２】図１のＩＩ−ＩＩ線におけるルーバー支持構造の断面図である。
【図３】図１のＩＩＩ−ＩＩＩ線におけるルーバー支持構造の断面図である。
【図４】第１の主支持部の斜視図である。
【図５】第１の可動部の斜視図である。
【図６】中骨を組み立てる手順を示した図である。
【図７】ルーバーを中骨に取り付ける手順を示した図である。
【図８】図１のＩＩ−ＩＩ線における第２の実施形態によるルーバー支持構造の断面図である。
【図９】図１のＩＩＩ−ＩＩＩ線における第２の実施形態によるルーバー支持構造の断面図である。
【図１０】図１のＩＩ−ＩＩ線における第３の実施形態によるルーバー支持構造の断面図である。
【図１１】図１のＩＩＩ−ＩＩＩ線における第３の実施形態によるルーバー支持構造の断面図である。
【図１２】第１の主支持部の斜視図である。
【図１３】第１の可動部の斜視図である。
【図１４】ルーバーを中骨に取り付ける手順を示した図である。
【図１５】第２の中骨の水平方向断面図である。
【発明を実施するための形態】
【０００９】
本発明の第１の実施形態による第１のルーバー構造について図１から４を用いて説明する。第１のルーバー構造は、第１の採光ルーバーフェンス１０の一部として用いられる。以下、第１の採光ルーバーフェンス１０の一部として用いられている状態において鉛直方向に沿う長さを高さ、第１の採光ルーバーフェンス１０の壁面と平行かつ水平方向に沿う長さを幅又は見付方向長さ、第１の採光ルーバーフェンス１０の壁面と直角かつ水平方向に沿う長さを厚さ又は見込方向長さといい、第１の採光ルーバーフェンス１０の壁面と平行かつ水平方向を見付方向、第１の採光ルーバーフェンス１０の壁面と直角かつ水平方向を見込方向という。なお、見付方向が第１の方向に対応し、鉛直方向が第２の方向に対応し、見込方向が第３の方向に対応する。また、図１の見付方向において正面視左側を見付方向右側、正面視右側を見付方向左側とする。
【００１０】
図１から３を参照すると、第１の採光ルーバーフェンス１０は、上枠２１０と、下枠２２０と、右側カバー１３０と、左側カバー１４０と、支持体を成す第１の中骨１６０及び第２の中骨１７０と、第１のパネル材１８０と、第２のパネル材１９０とを主に備える。上枠２１０、下枠２２０、右側カバー１３０、左側カバー１４０、第１の中骨１６０、及び第２の中骨１７０は、例えばアルミ押出材等の軽金属から成り、第１のパネル材１８０及び第２のパネル材１９０は例えばポリカーボネート等の透明又は半透明の樹脂から成り、ルーバーを形成する。
【００１１】
図２を参照すると、複数の第１の中骨１６０及び第２の中骨１７０が、互いに水平方向に対して所定の間隔を空けて、上枠２１０及び下枠２２０に固定される。第１の中骨１６０は、第１の採光ルーバーフェンス１０の見付方向中央から見付方向右側に主に配置され、第２の中骨１７０は、第１の採光ルーバーフェンス１０の見付方向左側に主に配置される。幅１９７０ｍｍの第１の採光ルーバーフェンス１０において、第１の中骨１６０は、例えば３本設けられ、第２の中骨１７０は、例えば２本設けられる。
【００１２】
上枠２１０は、上枠管状部材２１１と、上枠板状部材２１２及び第２のパネル受け部２１３とを主に備える。上枠管状部材２１１は、略矩形の鉛直断面を有し、水平方向に延びる管状部材である。上枠板状部材２１２及び第２のパネル受け部２１３は、上枠管状部材２１１の外側底面から重力下方に向けて突出する。図３を参照すると、上枠板状部材２１２は、Ｌ字型の鉛直断面を有し、上枠管状部材２１１の外側底面から重力下方に向けて突出する固定板２１２ａと、固定板２１２ａの突出端から正面側（道路側）に向けて直角に突出する底端パネル受け部２１２ｂとを備える。底端パネル受け部２１２ｂの突出端には、鉛直上方に突出する底端突出部２１２ｃが設けられる。上枠板状部材２１２及び第２のパネル受け部２１３は、上枠管状部材２１１の長手方向全長に渡って延びる。
【００１３】
下枠２２０は、下枠管状部材２２１と、下枠板状部材２２２とを主に備える。下枠管状部材２２１は、略矩形の鉛直断面を有し、水平方向に延びる管状部材である。下枠板状部材２２２は、下枠管状部材２２１の外側頂面から重力上方に向けて突出するとともに、下枠管状部材２２１の全長に渡って延びる平板状部材である。
【００１４】
右側カバー１３０は、全長に渡ってＬ字型の水平断面を有する長手部材であって、Ｌ字型断面の２辺のうち、１辺は第１の採光ルーバーフェンス１０の右側面を覆う右側カバー側面１３１を成し、１辺は第１の採光ルーバーフェンス１０の正面に延びる右側カバー正面１３２を成す。
【００１５】
左側カバー１４０は、右側カバー１３０と左右対称な形状であって、左側カバー１４０におけるＬ字型断面の２辺のうち、１辺は第１の採光ルーバーフェンス１０の左側面を覆う左側カバー側面１４１を成し、１辺は第１の採光ルーバーフェンス１０の正面に延びる左側カバー正面１４２を成す。
【００１６】
右側カバー側面１３１は、第１の中骨１６０の右側面に、鉛直方向に所定の間隔を開けて設けられる複数のねじ１３３を用いて固定され、これにより、右側カバー１３０が第１の中骨１６０に固定される。同様に、左側カバー側面１４１は、第２の中骨１７０の左側面に、鉛直方向に所定の間隔を開けて設けられる複数のねじ１４３を用いて固定され、これにより、左側カバー１４０が第２の中骨１７０に固定される。
【００１７】
次に、第１の中骨１６０について説明する。第１の中骨１６０は、第１の主支持部１６１と、第１の可動部１６２とを主に備える。
【００１８】
図４を参照すると、第１の主支持部１６１は、長手方向に直交する断面において略長方形の断面形状を有する中空の角筒である。長方形の長辺を含む２つの側面１６１ａ、１６１ｂのうちの１つの側面１６１ａに、側面１６１ａから突出する２つの主支持部側保持部材１６１ｃ、１６１ｄと、側面１６１ａを貫通して開口する２つの孔部１６１ｅ、１６１ｆ及び長孔１６１ｇが設けられる。
【００１９】
２つの主支持部側保持部材１６１ｃ、１６１ｄは、Ｌ字形状を有する板状部材であって、側面１６１ａの幅方向中央かつ第１の主支持部１６１の長手方向に延びる１本の直線上に所定の間隔を開けて並べられる。Ｌ字形状は、側面１６１ａから直角を成す方向に所定距離だけ突出する部位と、その部位から直角に折れ曲がって側面１６１ａの長手方向へ平行に延びる突出端１６１ｉ、１６１ｊとを各々有する。突出端１６１ｉ、１６１ｊは、側面１６１ａとの間に第１の開口１６１ｋ、１６１ｌを各々形成する。
【００２０】
２つの孔部１６１ｅ、１６１ｆは、第１の主支持部１６１の長手方向に沿って延びる角孔であって、第１の主支持部１６１の長手方向に延びる１本の直線上に所定の間隔を開けて並べられる。長孔１６１ｇもまた、第１の主支持部１６１の長手方向に沿って延びる。
【００２１】
側面１６１ｂの内周側に、第１の主支持部１６１の長手方向全長に渡って平行に延びる２つのねじ穴１６１ｈが設けられる。２つのねじ穴１６１ｈの間には、第１の主支持部１６１の幅方向に対して所定の間隔が開けられる。
【００２２】
図５を参照すると、第１の可動部１６２は、第１の主支持部１６１の長手方向長さよりも短く、この長手方向に直交する断面において略Ｈ字形状の断面形状を有する。Ｈ字形状は、板状の主面材１６２ａと主面材１６２ａの長辺端に設けられる２つの端面１６２ｂとから成る。Ｈ字形状の幅は、第１の主支持部１６１の内周の幅よりもわずかに短く、内周内において、長手方向に第１の可動部１６２が自由に移動可能となる程度の長さである。Ｈ字形状の厚さ、すなわち見付方向長さは、第１の主支持部１６１の内周のそれよりも短い。
【００２３】
主面材１６２ａの片面１６２ｆには、第１の可動部１６２の長手方向全長に渡って延びる突起１６２ｅと、突起１６２ｅから突出する２つの可動部側保持部材１６２ｃ、１６２ｄとが設けられる。片面１６２ｆの裏面１６２ｇには、第１の可動部１６２の長手方向全長に渡って延びるねじ穴１６２ｈが設けられる。突起１６２ｅは、長手方向に直交する断面において略矩形の断面形状を有する。２つの可動部側保持部材１６２ｃ、１６２ｄは、Ｌ字形状を有する板状部材であって、突起１６２ｅ上に所定の間隔を開けて並べられる。Ｌ字形状は、主面材１６２ａと直角を成す方向に所定距離だけ突起１６２ｅから突出する部位と、その部位から直角に折れ曲がって主面材１６２ａの長手方向へ平行に延びる突出端１６２ｉ、１６２ｊとを各々有する。
【００２４】
図６を参照して、第１の中骨１６０を組み立てる手法について説明する。まず、２つの可動部側保持部材１６２ｃ、１６２ｄが、２つの孔部１６１ｅ、１６１ｆの内周側に位置するまで、第１の可動部１６２の全長を第１の主支持部１６１の内周に挿入する（図６（ａ）参照）。そして、長孔１６１ｇから段付きタッピングネジ１６３を挿入し、主面材１６２ａにねじ込ませる。これにより、２つの可動部側保持部材１６２ｃ、１６２ｄが、２つの孔部１６１ｅ、１６１ｆを各々貫通して、側面１６１ａから突出する（図６（ｂ）参照）。段付きタッピングネジ１６３を用いることにより、第１の可動部１６２が第１の主支持部１６１に完全に密着して固定されないため、第１の可動部１６２は第１の主支持部１６１に対して長手方向に移動可能であり、２つの可動部側保持部材１６２ｃ、１６２ｄは２つの孔部１６１ｅ、１６１ｆ内で長手方向に移動可能である。ここで、第１の可動部１６２の長手方向長さは、第１の主支持部１６１の長手方向長さよりも、２つの可動部側保持部材１６２ｃ、１６２ｄが２つの孔部１６１ｅ、１６１ｆ内で長手方向に移動可能であって、第１の可動部１６２が第１の主支持部１６１の内周から長手方向に飛び出さない程度に短い。突出端１６２ｉ、１６２ｊは、主面材１６２ａとの間に第２の開口１６２ｋ、１６２ｌを各々形成する。
【００２５】
なお、図３に示される状態において、突出端１６１ｉ、１６１ｊは、鉛直下方、すなわち第２の方向の負方向に延び、第１の開口１６１ｋ、１６１ｌは、鉛直下方、すなわち第２の方向の負方向に開口する。また、突出端１６２ｉ、１６２ｊは、鉛直上方、すなわち第２の方向の正方向に延び、第２の開口１６２ｋ、１６２ｌは、鉛直上方、すなわち第２の方向の正方向に開口する。
【００２６】
図２を参照して、第２の中骨１７０について説明する。第２の中骨１７０は、見込方向に延びる鉛直面に対して、第１の中骨１６０と面対称の形状を有する。言い換えると、第１の中骨１６０における孔部１６１ｅ、１６１ｆ、長孔１６１ｇ、及び可動部側保持部材１６２ｃ、１６２ｄの位置が、主支持部側保持部材１６１ｃ、１６１ｄを含む平面に対して面対称の位置に変更されたものが、第２の中骨１７０である。図２において、第２の中骨１７０における主支持部側保持部材１７１ｃ、可動部側保持部材１７２ｃが、第１の中骨１６０における主支持部側保持部材１６１ｃ、可動部側保持部材１６２ｃに各々対応する。鉛直方向に対する各々の部材の位置は、第１の中骨１６０と同じである。よって、詳細な説明を省略する。
【００２７】
次に、図３に戻って、第１のパネル材１８０及び第２のパネル材１９０について説明する。
【００２８】
第１のパネル材１８０は、正面側に設けられる山部１８１と、山部１８１から背面側（以下、家側とも言う。）に後退した頂端に設けられる上部接続部１８２と、山部１８１の背面から家側に向けて突出する下部接続部１８３とを有する。山部１８１は、平坦面を成す。上部接続部１８２は、第２の方向の正方向、すなわち重力上方に向けて延びる第１の上端部１８２ａと、第２の方向の負方向、すなわち重力下方に向けて延びる第２の固定突起１８２ｃとを備える。図３の鉛直断面において、第２の固定突起１８２ｃの突出端は、正面に向けて突出する突起１８２ｄを備える。下部接続部１８３は、山部１８１の背面から家側に向けて直角に突出する突出部１８３ａと、突出部１８３ａの先端から第２の方向の正方向、すなわち重力上方に向けて延びる第１の固定突起１８３ｂとを備える。突出部１８３ａの先端１８３ｃは、第１の固定突起１８３ｂよりもわずかに家側に突出する。第１の固定突起１８３ｂの突出端は、正面に向けて突出する突起１８３ｄを備える。第１のパネル材１８０は、図３に記載の鉛直断面形状と同様の形状を長手方向全長に渡って有する。
【００２９】
第２のパネル材１９０は、第１の採光ルーバーフェンス１０の幅方向に走る板状の第２の正面部材１９１と、第２の正面部材１９１の背面から直角に突出する第１の係合板１９２及び第２の係合板１９３とを備える。第１の係合板１９２の突出端部付近には、鉛直上方に突出する第１の返し１９２ａが設けられ、第２の係合板１９３の突出端部付近には、鉛直下方に突出する第２の返し１９３ａが設けられる。
【００３０】
上枠２１０、第１のパネル材１８０、及び第２のパネル材１９０は、第１の採光ルーバーフェンス１０の幅方向全長に渡って延び、第１の中骨１６０及び第２の中骨１７０は、第１の採光ルーバーフェンス１０の高さ方向全長に渡って延びる。
【００３１】
上枠管状部材２１１は、第１の中骨１６０及び第２の中骨１７０の頂端に開口するねじ穴１６１ｈ、１６２ｈにねじ２１４ａ、２１４ｂを用いて固定され、これにより、上枠２１０が第１の中骨１６０及び第２の中骨１７０に固定される。より詳細に説明すると、ねじ２１４ａは、第１の主支持部１６１のねじ穴１６１ｈと螺合し、これにより、上枠２１０が第１の主支持部１６１に固定される。他方、ねじ２１４ｂは、第１の可動部１６２のねじ穴１６２ｈと螺合し、これにより、上枠２１０が第１の可動部１６２に固定され、第１の可動部１６２が鉛直方向に移動できなくなる。
【００３２】
下枠管状部材２２１は、第１の中骨１６０及び第２の中骨１７０の底端に開口するねじ穴１６１ｈ、１６２ｈにねじ２２４を用いて固定され、これにより、下枠２２０が第１の中骨１６０及び第２の中骨１７０に固定される。
【００３３】
次に、図７を用いて、第１のパネル材１８０を第１の中骨１６０に固定する手法について説明する。まず、図７（ａ）を参照すると、上枠２１０、下枠２２０、第１の中骨１６０、及び第２の中骨１７０が互いに接続されたものが準備される。そして、第１のパネル材１８０の第１の固定突起１８３ｂが、第１の開口１６１ｌ内に挿入される。この作業を２枚の第１のパネル材１８０に対して行うことにより、図７（ｂ）に示される状態が得られる。図７（ｃ）を参照すると、ねじ２１４ｂを第１の可動部１６２のねじ穴１６２ｈと螺合させて、第１の可動部１６２を鉛直上方に移動させる。これにより、２つの可動部側保持部材１６２ｃ、１６２ｄが２つの孔部１６１ｅ、１６１ｆ内で鉛直上方に移動して、第２の開口１６２ｋ、１６２ｌ内に第２の固定突起１８２ｃが格納される。図７（ｄ）を参照すると、第２のパネル１９０が上枠２１０に取り付けられ、作業が完了される。なお、これらの作業は、第１の中骨１６０及び第２の中骨１７０を水平方向に寝かせた状態で行うと容易であるが、鉛直方向に立てた状態で行っても良い。
【００３４】
図３を用いて、第１のパネル材１８０が第２の中骨１７０に固定された状態について説明する。下部接続部１８３と主支持部側保持部材１６１ｃ、１６１ｄとの係合状態について説明すると、突起１８３ｄが主支持部側保持部材１６１ｃ、１６１ｄと係合し、突出部１８３ａの先端１８３ｃが側面１６１ａと係合する。これにより、見込方向に対する第１のパネル材１８０の動きが規制される。上部接続部１８２と可動部側保持部材１６２ｃ、１６２ｄとの係合状態について説明すると、突起１８２ｄが可動部側保持部材１６２ｃ、１６２ｄと係合し、上部接続部１８２の背面、すなわち家側の面が側面１６１ａと面接触する。これにより、見込方向に対する第１のパネル材１８０の動きが規制される。
【００３５】
本実施形態によれば、第１のパネル材１８０及び第２のパネル材１９０は、芯材を備えないことにより外部から芯材が透けて見えることがないため、意匠性が低下せず、かつ軽量である。また、第１のパネル材１８０及び第２のパネル材１９０は、家側に設けられる第１の中骨１６０及び第２の中骨１７０によって支持されることが可能となるため、パネル材を見付方向に分割してパネル材間に中骨を挿入する必要がない。これにより、第１のパネル材１８０及び第２のパネル材１９０が見付方向に対して長尺に連続するため、意匠性を向上できる。そして、第１の中骨１６０及び第２の中骨１７０を所定の間隔で設けることにより、第１のパネル材１８０及び第２のパネル材１９０が脱落することを防ぐとともに、第１の採光ルーバーフェンス１０の強度を確保することができる。また、第１の中骨１６０及び第２の中骨１７０は背面側に設けられて、正面側から視認できない。すなわち、本実施形態によれば、軽量かつ意匠性が高いルーバー構造を得る。さらに、第１の中骨１６０及び第２の中骨１７０の形状が単純な矩形断面を有する管状であるため、これらの部材を容易に形成できる。
【００３６】
また、可動部側保持部材１６２ｃ、１６２ｄを移動させることによって第１のパネル材１８０を固定可能であって、ねじ等を用いて第１のパネル材１８０を固定する必要がない。そのため、第１のパネル材１８０にねじ穴等を設ける加工を施す必要がない。仮に第１のパネル材１８０にねじ穴等を設けて固定する場合、熱伸縮に対応できず、第１のパネル材１８０に割れ、曲がり、歪みが生じ、これにより、外観不良や破損、パネル材の脱落等に繋がる可能性があるが、本実施形態では、第１のパネル材１８０をねじ等を用いて固定しないため、第１のパネル材１８０が熱伸縮した場合においても割れ、曲がり、歪みが生じる可能性を低減して、外観不良や破損、パネル材の脱落等を防止できる。
【００３７】
次に、図２、８、及び９を用いて、第２の実施形態による第２のルーバー構造を備える第２の採光ルーバーフェンス３０について説明する。第１の実施形態と同様の構成については、同じ符号を付して説明を省略する。
【００３８】
第２の採光ルーバーフェンス３０は、上枠２１０と、下枠２２０と、右側カバー１３０と、左側カバー１４０と、支持体を成す第３の中骨３６０及び第４の中骨３７０と、第３のパネル材３８０と、第２のパネル材１９０とを主に備える。図８を参照すると、複数の第３の中骨３６０及び第４の中骨３７０が、互いに水平方向に対して所定の間隔を空けて、上枠２１０及び下枠２２０に固定される。幅１９７０ｍｍの第３の採光ルーバーフェンス３０において、第３の中骨３６０は、例えば３本設けられ、第４の中骨３７０は、例えば２本設けられる。
【００３９】
右側カバー側面１３１は、第３の中骨３６０の右側面に、鉛直方向に所定の間隔を開けて設けられる複数のねじ１３３を用いて固定され、これにより、右側カバー１３０が第３の中骨３６０に固定される。同様に、左側カバー側面１４１は、第４の中骨３７０の左側面に、鉛直方向に所定の間隔を開けて設けられる複数のねじ１４３を用いて固定され、これにより、左側カバー１４０が第４の中骨３７０に固定される。
【００４０】
第２の採光ルーバーフェンス３０は、第３の中骨３６０、第４の中骨３７０、及び第３のパネル材３８０の形状に関して、第１の採光ルーバーフェンス１０と異なる。以下、主に第３の中骨３６０、第４の中骨３７０、及び第３のパネル材３８０について説明する。
【００４１】
第３の中骨３６０について説明する。第３の中骨３６０は、第３の主支持部３６１と、第３の可動部３６２とを主に備える。
【００４２】
図９を参照すると、第３の主支持部３６１は、長手方向に直交する断面において略長方形の断面形状を有する中空の角筒である。長方形の長辺を含む２つの側面３６１ａ、３６１ｂのうちの１つの側面３６１ａに、側面３６１ａから突出する２つの主支持部側保持部材３６１ｃ、３６１ｄと、側面３６１ａを貫通して開口する２つの孔部３６１ｅ、３６１ｆ、及び図示されない長孔が設けられる。この図示されない長孔は、長孔１６１ｇと同様の形状及び位置に設けられるため、説明を省略する。
【００４３】
２つの主支持部側保持部材３６１ｃ、３６１ｄは、Ｌ字形状を有する板状部材であって、側面３６１ａの幅方向中央かつ第３の主支持部３６１の長手方向に延びる１本の直線上に所定の間隔を開けて並べられる。Ｌ字形状は、側面３６１ａから直角を成す方向に所定距離だけ突出する部位と、その部位から直角に折れ曲がって側面３６１ａの長手方向へ平行に延びる突出端３６１ｉ、３６１ｊとを各々有する。突出端３６１ｉ、３６１ｊは、側面３６１ａとの間に第１の開口３６１ｋ、３６１ｌを各々形成する。第３の主支持部３６１では、突出端３６１ｉ、３６１ｊが突出する方向が、第１の実施形態による突出端１６１ｉ、１６１ｊと反対である。
【００４４】
２つの孔部３６１ｅ、３６１ｆは、第３の主支持部３６１の長手方向に沿って延びる角孔であって、第３の主支持部３６１の長手方向に延びる１本の直線上に所定の間隔を開けて並べられる。
【００４５】
側面３６１ｂの内周に、第３の主支持部３６１の長手方向全長に渡って平行に延びる２つのねじ穴３６１ｈが設けられる。２つのねじ穴３６１ｈの間には、第３の主支持部３６１の幅方向に対して所定の間隔が開けられる。
【００４６】
第３の可動部３６２は、第３の主支持部３６１の長手方向長さよりも短く、この長手方向に直交する断面においてＨ字形状の断面形状を有する。Ｈ字形状は、板状の主面材３６２ａと主面材３６２ａの長辺端に設けられる２つの端面とから成る。Ｈ字形状の幅は、第３の主支持部３６１の内周の幅よりもわずかに短く、内周内において、長手方向に第３の可動部３６２が自由に移動可能となる程度の長さである。Ｈ字形状の厚さ、すなわち見付方向長さは、第３の主支持部３６１の内周のそれよりも短い。
【００４７】
図８を参照すると、主面材３６２ａの片面３６２ｆには、第３の可動部３６２の長手方向全長に渡って延びる、図示されない突起と、この突起から突出する２つの可動部側保持部材３６２ｃ、３６２ｄとが設けられる。片面３６２ｆの裏面３６２ｇには、第３の可動部３６２の長手方向全長に渡って延びるねじ穴３６２ｈが設けられる。図示されない突起の形状及び位置は、第１の実施形態による突起１６２ｅと同様であるため、説明を省略する。
【００４８】
図９を参照すると、２つの可動部側保持部材３６２ｃ、３６２ｄは、Ｌ字形状を有する板状部材であって、鉛直方向に所定の間隔を開けて並べられる。Ｌ字形状は、主面材３６２ａと直角を成す方向に所定距離だけ突出する部位と、その部位から直角に折れ曲がって主面材３６２ａの長手方向へ平行に延びる突出端３６２ｉ、３６２ｊとを各々有する。
【００４９】
突出端３６１ｉ、３６１ｊは、鉛直上方、すなわち第２の方向の正方向に延び、第１の開口３６１ｋ、３６１ｌは、鉛直上方、すなわち第２の方向の正方向に開口する。また、突出端３６２ｉ、３６２ｊは、鉛直下方、すなわち第２の方向の負方向に延び、第２の開口３６２ｋ、３６２ｌは、鉛直下方、すなわち第２の方向の負方向に開口する。
【００５０】
第３の中骨３６０を組み立てる手法については、第１の中骨１６０を組み立てる手法と同様であるため、説明を省略する。
【００５１】
第４の中骨３７０について説明する。第４の中骨３７０は、見込方向に延びる鉛直面に対して、第３の中骨３６０と面対称の形状を有する。言い換えると、第３の中骨３６０における孔部３６１ｅ、３６１ｆ、長孔、及び可動部側保持部材３６２ｃ、３６２ｄの位置が、主支持部側保持部材３６１ｃ、３６１ｄを含む平面に対して面対称の位置に変更されたものが、第４の中骨３７０である。図８において、第４の中骨３７０における主支持部側保持部材３７１ｃ、可動部側保持部材３７２ｃが、第３の中骨３６０における主支持部側保持部材３６１ｃ、可動部側保持部材３６２ｃに各々対応する。鉛直方向に対する各々の部材の位置は、第３の中骨３６０と同じである。よって、詳細な説明を省略する。
【００５２】
次に、図９に戻って、第３のパネル材３８０について説明する。
【００５３】
第３のパネル材３８０は、正面側に設けられる山部３８１と、山部１８１の背面上方から家側に向けて突出する上部接続部３８２と、山部１８１の背面下方から家側に向けて突出する下部接続部３８３とを有する。山部３８１は、平坦面を成すとともに、その頂端が背面側（家側）に後退する。上部接続部３８２は、山部３８１の背面から家側に向けて直角に突出する突出部３８２ａと、突出部３８２ａの先端から第２の方向の正方向、すなわち重力上方に向けて延びる第２の固定突起３８２ｂとを備える。突出部３８２ａの先端３８２ｃは、第２の固定突起３８２ｂよりもわずかに家側に突出する。図９の鉛直断面において、第２の固定突起３８２ｂの突出端には、正面に向けて突出する突起３８２ｄが設けられる。下部接続部３８３は、山部３８１の背面から家側に向けて直角に突出する突出部３８３ａと、突出部３８３ａの先端から第２の方向の負方向、すなわち重力下方に向けて延びる第１の固定突起３８３ｂとを備える。突出部３８３ａの先端３８３ｃは、第１の固定突起３８３ｂよりもわずかに家側に突出する。第１の固定突起３８３ｂの突出端には、正面に向けて突出する突起３８３ｄを備える。第３のパネル材３８０は、図９に記載の鉛直断面形状と同様の形状を長手方向全長に渡って有する。
【００５４】
上枠２１０、第３のパネル材３８０、及び第２のパネル材１９０は、第２の採光ルーバーフェンス３０の幅方向全長に渡って延び、第３の中骨３６０及び第４の中骨３７０は、第２の採光ルーバーフェンス３０の高さ方向全長に渡って延びる。
【００５５】
上枠管状部材２１１は、第３の中骨３６０及び第４の中骨３７０の頂端に開口するねじ穴３６１ｈ、３７１ｈにねじ２１４ａを用いて固定され、これにより、上枠２１０が第３の中骨３６０及び第４の中骨３７０に固定される。より詳細に説明すると、ねじ２１４ａは、第３の主支持部３６１のねじ穴３６１ｈと螺合し、これにより、上枠２１０が第３の主支持部３６１に固定される。
【００５６】
下枠管状部材２２１は、第３の中骨３６０及び第４の中骨３７０の底端に開口するねじ穴３６１ｈにねじ２２４ａを用いて固定され、これにより、下枠２２０が第３の中骨３６０及び第４の中骨３７０に固定される。他方、ねじ２２４ｂは、第３の可動部３６２のねじ穴３６２ｈと螺合し、これにより、下枠２２０が第３の可動部３６２に固定され、第３の可動部３６２が鉛直方向に移動できなくなる。
【００５７】
第１の実施形態では、第１のパネル材１８０を第１の中骨１６０に固定するために、第１の可動部１６２の頂面のねじ穴１６２ｈを用いて第１の可動部１６２を上枠２１０に固定していたのに対し、本実施形態では、第３のパネル材３８０を第３の中骨３６０に固定するために、第３の可動部３６２の底面のねじ穴３６２ｈを用いて第３の可動部３６２を下枠２２０に固定している。この点において両者は異なり、その他の点では同様である。同様の点については、説明を省略する。
【００５８】
図９を用いて、第３のパネル材３８０が第４の中骨３７０に固定された状態について説明する。上部接続部１８２と可動部側保持部材３６２ｃ、３６２ｄとの係合状態について説明すると、突起３８２ｄが可動部側保持部材３６２ｃ、３６２ｄと係合し、突出部３８２ａの先端３８２ｃが側面３６１ａと係合する。下部接続部３８３と主支持部側保持部材３６１ｃ、３６１ｄとの係合状態について説明すると、突起３８３ｄが主支持部側保持部材３６１ｃ、３６１ｄと係合し、突出部３８３ａの先端３８３ｃが側面３６１ａと係合する。これらの構成により、見込方向に対する第３のパネル材３８０の動きが規制される。
【００５９】
本実施形態によれば、第１の実施形態と同様の効果を得る。
【００６０】
本発明の第３の実施形態による第３のルーバー構造について図１０から１５を用いて説明する。第３のルーバー構造は、第３の採光ルーバーフェンス４０の一部として用いられる。以下、第３の採光ルーバーフェンス４０の一部として用いられている状態において鉛直方向に沿う長さを高さ、第３の採光ルーバーフェンス４０の壁面と平行かつ水平方向に沿う長さを幅又は見付方向長さ、第３の採光ルーバーフェンス４０の壁面と直角かつ水平方向に沿う長さを厚さ又は見込方向長さといい、第３の採光ルーバーフェンス４０の壁面と平行かつ水平方向を見付方向、第３の採光ルーバーフェンス４０の壁面と直角かつ水平方向を見込方向という。なお、見付方向が第１の方向に対応し、鉛直方向が第２の方向に対応し、見込方向が第３の方向に対応する。第１の実施形態と同様の構成については、同じ符号を付して説明を省略する。
【００６１】
図１０及び１２を参照すると、第３の採光ルーバーフェンス４０は、上枠２１０と、下枠２２０と、右側カバー１３０と、左側カバー１４０と、支持体を成す第５の中骨５６０と、第３のパネル材５８０と、第２のパネル材１９０とを主に備える。上枠２１０、下枠２２０、右側カバー１３０、左側カバー１４０、及び第５の中骨５６０は、例えばアルミ押出材等の軽金属から成り、第３のパネル材５８０及び第２のパネル材１９０は例えばポリカーボネート等の樹脂から成り、ルーバーを形成する。
【００６２】
上枠２１０、下枠２２０、及び第２のパネル材１９０については、第１の実施形態と同様であるため、説明を省略する。
【００６３】
右側カバー側面１３１は、第３の採光ルーバーフェンス４０の右端部にある第５の中骨５６０の右側面に、鉛直方向に所定の間隔を開けて設けられる複数のねじ１３３を用いて固定され、これにより、右側カバー１３０が第５の中骨５６０に固定される。同様に、左側カバー側面１４１は、第３の採光ルーバーフェンス４０の左端部にある第５の中骨５６０の左側面に、鉛直方向に所定の間隔を開けて設けられる複数のねじ１４３を用いて固定され、これにより、左側カバー１４０が第５の中骨５６０に固定される。
【００６４】
図１０を参照すると、複数の第５の中骨５６０が、互いに水平方向に対して所定の間隔を空けて、上枠２１０及び下枠２２０に固定される。幅１９７０ｍｍの第３の採光ルーバーフェンス４０において、第５の中骨５６０は、例えば５本設けられる。
【００６５】
次に、第５の中骨５６０について説明する。第５の中骨５６０は、第５の主支持部５６１と、第５の可動部５６２とを主に備える。図１２を参照すると、第５の主支持部５６１は、長手方向に直交する断面において略長方形の断面形状を有する中空の角筒である。長方形の長辺を含む２つの側面５６１ａ、５６１ｂのうちの１つの側面５６１ａに、側面５６１ａから突出する３つの主支持部側保持部材５６１ｃと、側面５６１ａを貫通して開口する５つの孔部５６１ｅ、５６１ｆが設けられる。また、側面５６１ｂに、その内周側に向けて窪む矩形溝５６１ｒが設けられる。矩形溝５６１ｒの底面には、雌ねじ孔５６１ｓが設けられ、固定部材を成すネジ５６３がねじ込まれる。矩形溝５６１ｒの開口には、蓋５６４が取り付けられる。主支持部側保持部材５６１ｃは、ト字形状を有する板状部材であって、側面５６１ａの幅方向中央かつ第５の主支持部５６１の長手方向に延びる図示されない直線上に、長手方向に所定の間隔を開けて並べられる。ト字形状は、側面５６１ａから直角を成す方向に所定距離だけ突出する部位と、その部位から直角に折れ曲がって側面５６１ａの長手方向へ平行に延びる突出端５６１ｉ、５６１ｊとを各々有する。突出端５６１ｉ、５６１ｊは、互いに反対方向に延びる。突出端５６１ｉ、５６１ｊは、側面５６１ａとの間に第１の開口５６１ｋ、５６１ｌを各々形成する。孔部５６１ｅは、側面５６１ａにおいて、突出端５６１ｉから水平方向に所定距離だけずれた位置に設けられる。同様にして、孔部５６１ｆは突出端５６１ｊから水平方向に所定距離だけずれた位置に設けられる。
【００６６】
なお、図１１に示される状態において、突出端５６１ｉは、鉛直上方、すなわち第２の方向の正方向に延び、第１の開口５６１ｋは、鉛直上方、すなわち第２の方向の正方向に開口する。また、突出端５６１ｊは、鉛直下方、すなわち第２の方向の負方向に延び、第１の開口５６１ｌは、鉛直下方、すなわち第２の方向の負方向に開口する。
【００６７】
図１３を参照すると、第５の可動部５６２は、第５の主支持部５６１の長手方向長さと同じ長手方向長さを有し、この長手方向に直交する断面においてＨ字形状の断面形状を有する。Ｈ字形状は、板状の主面材５６２ａと主面材５６２ａの長辺端に設けられる２つの端面５６２ｂとから成る。Ｈ字形状の幅は、第５の主支持部５６１の内周の幅よりもわずかに短く、内周内において、Ｈ字形状の厚さ方向、すなわち見込み方向に第５の可動部５６２が自由に移動可能となる程度の長さである。Ｈ字形状の見込み方向長さは、第５の主支持部５６１の内周のそれよりも短い。主面材５６２ａには、主面材５６２ａから直角に突出する５つの可動部側保持部材５６２ｅ、５６２ｆが設けられる。可動部側保持部材５６２ｅ、５６２ｆは、角柱又は円柱形状を有し、第５の主支持部５６１の孔部５６１ｅ、５６１ｆに対応する位置に各々設けられる。第５の可動部５６２は、第５の主支持部５６１の内周に挿入される。このとき、第５の可動部５６２は、第５の主支持部５６１の内周において、見込み方向に対して移動可能であって、可動部側保持部材５６２ｅ、５６２ｆは、孔部５６１ｅ、５６１ｆに各々進退可能である。
【００６８】
図１１を参照すると、上枠管状部材２１１は、固定板２１２ａと第５の中骨５６０の頂端とを図示されないタッピングネジを用いて接続することにより、第５の中骨５６０と固定される。下枠管状部材２２１も同様にして、下枠板状部材２２２を介して第５の中骨５６０の底端に固定される。
【００６９】
次に、図１１を参照して、第３のパネル材５８０及び第２のパネル材１９０について説明する。
【００７０】
第３のパネル材５８０は、正面側に設けられる山部５８１と、山部５８１から背面側（家側）に後退した頂端に設けられる上部接続部５８２と、山部５８１の背面から家側に向けて突出する下部接続部５８３とを有する。山部５８１は、平坦面を成す。上部接続部５８２は、山部５８１の頂端付近に設けられる第１の固定面５８２ａと、山部５８１の頂端から背面側に延びる上端部５８２ｂとを備える。下部接続部５８３は、山部５８１の背面から家側に向けて直角に突出する突出部５８３ａと、突出部５８３ａの先端から第２の方向の負方向、すなわち重力下方に向けて延びる第２の固定面５８３ｂと、第２の固定面５８３の端部から背面側に延びる下端部５８３ｃとを備える。第３のパネル材５８０は、図１１に記載の鉛直断面形状と同様の形状を長手方向全長に渡って有する。
【００７１】
第２のパネル材１９０は、第３の採光ルーバーフェンス４０の幅方向に走る板状の第２の正面部材１９１と、第２の正面部材１９１の背面から直角に突出する第１の係合板１９２及び第２の係合板１９３とを備える。第１の係合板１９２の突出端部付近には、鉛直上方に突出する第１の返し１９２ａが設けられ、第２の係合板１９３の突出端部付近には、鉛直下方に突出する第２の返し１９３ａが設けられる。
【００７２】
上枠２１０、第３のパネル材５８０、及び第２のパネル材１９０は、第３の採光ルーバーフェンス４０の幅方向全長に渡って延び、第５の中骨５６０は、第３の採光ルーバーフェンス４０の高さ方向全長に渡って延びる。
【００７３】
次に、図１４を用いて、第３のパネル材５８０を第５の中骨５６０に固定する手法について説明する。
【００７４】
まず、図１４（ａ）を参照すると、上枠２１０、下枠２２０、及び第５の中骨５６０が互いに接続されたものが準備される。次に、道路側から、第３のパネル材５８０を第５の中骨５６０に取り付ける。詳細には、第３の採光ルーバーフェンス４０の正面に対して第３のパネル材５８０を傾けて、上部接続部５８２を第１の開口５６１ｌの最奥部まで挿入する。その後に、第３の採光ルーバーフェンス４０の正面に対して平行となるように第３のパネル材５８０を回転させて、下部接続部５８３の下端部５８３ｃを側面５６１ａに接触させる。そして、第３のパネル材５８０を重力方向下方に移動させると、下端部５８３ｃが第１の開口５６１ｋ内に収められる。この作業を２枚の第３のパネル材５８０に対して行うことにより、図１４（ｂ）に示される状態が得られる。
【００７５】
図１４（ｃ）を参照すると、ネジ５６３を雌ねじ孔５６１ｓにねじ込み、ネジ５６３の先端により第５の可動部５６２を見込方向に移動させる。すると、可動部側保持部材５６２ｆが第１の固定面５８２ａと係合して、第１の固定面５８２ａを突出端５６１ｊに押しつける。これにより、上部接続部５８２が主支持部側保持部材５６１ｃに固定される。同様にして、第２の固定面５８３に関しても、ネジ５６３を雌ねじ孔５６１ｓにねじ込むと、ネジ５６３の先端により第５の可動部５６２を見込方向に移動させる。すると、可動部側保持部材５６２ｅが第２の固定面５８３ｂと係合して、第２の固定面５８３ｂを突出端５６１ｉに押しつけ、これにより、下部接続部５８３が主支持部側保持部材５６１ｃに固定される。上部接続部５８２及び下部接続部５８３が主支持部側保持部材５６１ｃに各々固定されることにより、見込方向に対する第３のパネル材５８０の動きが規制され、第３のパネル材５８０が第５の中骨５６０に取り付けられる。
【００７６】
図１４（ｄ）を参照すると、矩形溝５６１ｒの開口に蓋５６４が取り付けられ、かつ第２のパネル１９０が上枠２１０に取り付けられ、作業が完了される。なお、第５の中骨５６０を鉛直方向に立てた状態で、これらの作業を行うとして説明したが、第５の中骨５６０を水平方向に寝かせた状態で行うことも可能である。
【００７７】
図１５を参照して、第６の中骨６６０について説明する。本発明による他の態様として、第６の中骨６６０は、第５の中骨５６０の代わりに用いられる。
【００７８】
第６の中骨６６０は、第２の主支持部６６１と、第６の可動部６６２とを主に備える。第２の主支持部６６１は、長手方向に直交する断面において、略コの字型の断面形状を有する長尺部材である。コの字型の長辺を含む側面６６１ａに、側面６６１ａから突出する３つの主支持部側保持部材６６１ｃと、側面６６１ａを貫通して開口する５つの孔部６６１ｅが設けられる。また、略コの字型の開口は、蓋部６６４によって塞がれる。第２の主支持部６６１の内部に、Ｌ字型断面を有する支持部材６６１ｒが設けられる。支持部材６６１ｒにおいて、側面６６１ａと平行な面には、雌ねじ孔６６１ｓが設けられ、固定部材を成すネジ６６３がねじ込まれる。主支持部側保持部材６６１ｃ及び孔部６６１ｅの形状及び位置は、主支持部側保持部材５６１ｃ及び孔部５６１ｅ、５６１ｆと各々同様であるため、説明を省略する。
【００７９】
第２の可動部６６２は、第２の主支持部６６１の長手方向長さと同じ長手方向長さと、第２の主支持部６６１の内周の幅よりも短い幅を有する平板であって、この平板から直角に突出する５つの可動部側保持部材６６２ｅと、第２の可動部６６２の厚さ方向に貫通する２つの孔部６６２ａが設けられる。可動部側保持部材６６２ｅは、角柱又は円柱形状を有し、第２の主支持部６６１の孔部６６１ｅに対応する位置に各々設けられる。第２の可動部６６２は、第２の主支持部６６１の内周に挿入される。このとき、第２の可動部６６２は、第２の主支持部６６１の内周において、見込み方向に対して移動可能であって、可動部側保持部材６６２ｅは、孔部６６１ｅに各々進退可能である。第２の可動部６６２の孔部６６２ａを介してネジ６６３を雌ねじ孔６６１ｓと螺合させると、可動部側保持部材６６２ｅが孔部６６１ｅを通過して側面６６１ａから突出する。このとき、第３のパネル材５８０が、主支持部側保持部材６６１ｃと可動部側保持部材６６２ｅとの間に挟まれて保持される。これにより、見込方向に対する第３のパネル材５８０の動きが規制され、第３のパネル材５８０が第６の中骨６６０に取り付けられる。
【００８０】
本実施形態によれば、第３のパネル材５８０及び第２のパネル材１９０は、芯材を備えないことにより、外部から芯材が透けて見えることがないため、意匠性が低下せず、かつ軽量である。また、第３のパネル材５８０及び第２のパネル材１９０は、家側に設けられる第５の中骨５６０及び第６の中骨６６０によって支持されることが可能となるため、パネル材を見付方向に分割してパネル材間に中骨を挿入する必要がない。これにより、第３のパネル材５８０及び第２のパネル材１９０が見付方向に対して長尺に連続するため、意匠性を向上できる。そして、第５の中骨５６０及び第６の中骨６６０を所定の間隔で設けることにより、第１の採光ルーバーフェンス１０の強度を確保することができる。また、第５の中骨５６０及び第６の中骨６６０は背面側に設けられて、正面側から視認できない。すなわち、本実施形態によれば、軽量かつ意匠性が高いルーバー構造を得る。
【００８１】
第３のパネル材５８０は、第５の可動部５６２によって、見込方向に対する移動を規制されているのみであって、鉛直方向及び見付方向に対して移動可能である。これにより、鉛直方向及び見付方向に対する伸縮力を逃がすことができる。また、第３のパネル材５８０は、第５の可動部５６２を移動させることによって固定され、ねじ等を用いて固定されない。そのため、第３のパネル材５８０にねじ穴等を設ける加工を施す必要がない。仮に第３のパネル材５８０にねじ穴等を設けて固定する場合、熱伸縮に対応できず、第３のパネル材５８０に割れ、曲がり、歪みが生じ、これにより、外観不良や破損、パネル材の脱落等に繋がる可能性があるが、本実施形態では、第３のパネル材５８０をねじ等を用いて固定しないため、第３のパネル材５８０が熱伸縮した場合においても割れ、曲がり、歪みが生じる可能性を低減して、外観不良や破損、パネル材の脱落等を防止できる。
【００８２】
なお、第１から第３の採光ルーバーフェンスにおける、中骨の数は上述の数に限定されず、第１のパネル材及び第２のパネル材の強度、第１から第３の採光ルーバーフェンスが設置される場所の環境等の仕様に応じて適宜決定される。
【００８３】
なお、第１の中骨１６０は、第１の採光ルーバーフェンス１０の見付方向左側に配置されてもよく、第２の中骨１７０は、第１の採光ルーバーフェンス１０の見付方向右側に配置されてもよい。
【００８４】
また、第１から第３の採光ルーバーフェンスの幅は１９７０ｍｍに限定されず、設計条件等に応じて適宜決定される。
【００８５】
いずれの実施形態においても、見付方向が第１の方向に対応し、鉛直方向が第２の方向に対応し、見込方向が第３の方向に対応するとしたが、第１から第３の方向はこれらの方向に限定されない。
【００８６】
なお、本明細書および図中に示した各部材の大きさ、形状。及び数量は例示であって、これらの大きさ、形状。及び数量に限定されない。また、各部材の素材は例示であって、これらの素材に限定されない。
【００８７】
ここに付随する図面を参照して本発明の実施形態が説明されたが、記載された発明の範囲と精神から逸脱することなく、変形が各部の構造と関係に施されることは、当業者にとって自明である。
【００８８】
本願発明は、以下の発明を含む。
［１］
固定突起を有するルーバーと、
前記ルーバーを支持する支持体とを備え、
前記支持体は、主支持部と、前記主支持部に対して移動可能な可動部とを備え、
前記主支持部は、前記主支持部の側面から突出する主支持部側保持部材と、前記主支持部の前記側面に開口する孔部とを備え、
前記可動部は、前記可動部の側面から突出する可動部側保持部材を備え、
前記可動部側保持部材は、前記孔部を貫通して前記主支持部の前記側面から突出し、
前記主支持部側保持部材と前記可動部側保持部材とが前記固定突起と係合して、前記ルーバーを保持するルーバー構造。
［２］
前記ルーバーは第１の方向に沿って延び、
前記可動部は、前記第１の方向と交わる第２の方向に移動可能であって、
前記主支持部側保持部材の突出端は、前記主支持部の側面との間に前記第２の方向に沿って開く第１の開口を形成し、
前記可動部側保持部材の突出端は、前記主支持部の側面との間に前記第２の方向に沿って開く第２の開口を形成し、前記可動部が前記第２の方向に移動したとき、前記第２の方向に移動する
発明１に記載のルーバー構造。
可動部が第２の方向に移動することにより、ルーバーを支持体に容易かつ確実に固定できる。また、ルーバーが長尺であっても、長手方向に対して分割することなく複数の支持体で保持することができるため、意匠性を向上できる。
［３］
前記ルーバーは第１の方向に沿って延び、
前記可動部は、前記第１の方向と交わる第２の方向に移動可能であって、
前記ルーバーは板状部材であって、前記主支持部の側面に対向する面から突出し、かつ前記第２の方向に沿って延びる第１の固定突起及び第２の固定突起を備え、前記第１の固定突起の突出端は、前記第２の方向の正方向に延び、前記第２の固定突起の突出端は、前記第２の方向の負方向に延び、
前記可動部側保持部材の突出端は、前記主支持部の側面との間に前記第２の方向の正方向に開く第２の開口を形成し、
前記主支持部側保持部材の突出端は、前記主支持部の側面との間に前記第２の方向の負方向に開く第１の開口を形成し、
前記第１の開口は前記第１の固定突起と係合し、
前記可動部が前記第２の方向の正方向に移動したとき、前記第２の開口は前記第２の固定突起と係合する
発明１又は２に記載のルーバー構造。
これにより、固定突起が主支持部側保持部材及び可動部側保持部材と容易に係合可能となるため、ルーバーを支持体に容易かつ確実に固定できる。
［４］
前記ルーバーは第１の方向に沿って延び、
前記可動部は、前記第１の方向と交わる第２の方向に移動可能であって、
前記ルーバーは板状部材であって、前記主支持部の側面に対向する面から突出し、かつ前記第２の方向に沿って延びる第１の固定突起及び第２の固定突起を備え、前記第１の固定突起の突出端は、前記第２の方向の負方向に延び、前記第２の固定突起の突出端は、前記第２の方向の正方向に延び、
前記可動部側保持部材の突出端は、前記主支持部の側面との間に前記第２の方向の負方向に開く第２の開口を形成し、
前記主支持部側保持部材の突出端は、前記主支持部の側面との間に前記第２の方向の正方向に開く第１の開口を形成し、
前記第１の開口は前記第１の固定突起と係合し、
前記可動部が前記第２の方向の負方向に移動したとき、前記第２の開口は前記第２の固定突起と係合する
発明１又は２に記載のルーバー構造。
これにより、固定突起が主支持部側保持部材及び可動部側保持部材と容易に係合可能となるため、ルーバーを支持体に容易かつ確実に固定できる。
［５］
前記ルーバーは第１の方向に沿って延び、
前記可動部は、前記主支持部に挿入されており、前記第１の方向と交わる第２の方向に移動可能であって、
前記主支持部は、前記第２の方向に沿って延びる長孔を側面に備え、
前記長孔を貫通して、前記主支持部の前記側面の面外方向に対して前記可動部が移動することを規制する規制部材をさらに備える
発明１から４のいずれかに記載のルーバー構造。
これにより、可動部の第２の方向に対する移動を可能にしながら面外方向に対する移動を規制することが可能となるため、ルーバーを支持体に容易かつ確実に固定できる。
［６］
前記可動部は、前記第１の方向と交わる第２の方向に移動可能に前記主支持部に挿入され、移動可能方向の一端に螺合孔を有し、
前記螺合孔と螺合して、移動方向に対して前記可動部を前記主支持部に固定する固定部材をさらに備える
発明１から５のいずれかに記載のルーバー構造。
これにより、可動部を容易に移動させることが可能となるため、ルーバーを支持体に容易かつ確実に固定できる。
【符号の説明】
【００８９】
１０  第１の採光ルーバーフェンス
３０  第２の採光ルーバーフェンス
４０  第３の採光ルーバーフェンス
１３０  右側カバー
１３１  右側カバー側面
１３２  右側カバー正面
１４０  左側カバー
１４１  左側カバー側面
１４２  左側カバー正面
１６０  第１の中骨
１６１  第１の主支持部
１６１ａ  側面
１６１ｃ  主支持部側保持部材
１６１ｄ  主支持部側保持部材
１６１ｅ  孔部
１６１ｆ  孔部
１６１ｇ  長孔
１６１ｈ  穴
１６１ｉ  突出端
１６１ｊ  突出端
１６１ｋ  第１の開口
１６１ｌ  第１の開口
１６２  第１の可動部
１６２ｃ  可動部側保持部材
１６２ｄ  可動部側保持部材
１６２ｅ  突起
１６２ｈ  穴
１６２ｉ  突出端
１６２ｊ  突出端
１６２ｋ  第２の開口
１６２ｌ  第２の開口
１７０  第２の中骨
１７１ｃ  主支持部側保持部材
１７２ｃ  可動部側保持部材
１８０  第１のパネル材
１８１  山部
１８２  上部接続部
１８２ａ  第１の上端部
１８２ｃ  第２の固定突起
１８２ｄ  突起
１８３  下部接続部
１８３ａ  突出部
１８３ｂ  第１の固定突起
１８３ｃ  先端
１８３ｄ  突起
１９０  第２のパネル材
１９０  第２のパネル
１９１  第２の正面部材
１９２  第１の係合板
１９３  第２の係合板
２１０  上枠
２１１  上枠管状部材
２１２  上枠板状部材
２１２ａ  固定板
２１２ｂ  底端パネル受け部
２１２ｃ  底端突出部
２１３  第２のパネル受け部
２２０  下枠
２２１  下枠管状部材
２２２  下枠板状部材
【図１】
2020041293.tif 000003
【図２】
2020041293.tif 000004
【図３】
2020041293.tif 000005
【図４】
2020041293.tif 000006
【図５】
2020041293.tif 000007
【図６】
2020041293.tif 000008
【図７】
2020041293.tif 000009
【図８】
2020041293.tif 000010
【図９】
2020041293.tif 000011
【図１０】
2020041293.tif 000012
【図１１】
2020041293.tif 000013
【図１２】
2020041293.tif 000014
【図１３】
2020041293.tif 000015
【図１４】
2020041293.tif 000016
【図１５】
2020041293.tif 000017